(57)【要約】【課題】Ｗｅｂ上のコンテンツを再構築してユーザによるＵＲＬなどの入力操作無しに閲覧表示する仕組みにおいて、特にページ再構築の効率を向上させてシステムの負荷を軽減できるＷｅｂ対応電子機器装置を提供する。【解決手段】ページ再構築エンジン３５は、新たにページ再構築を実行するとき、すべてのヘッドライン一覧ページを再構築するのではなく、キーワード一覧ページ、追加キーワードを含むヘッドラインを有するヘッドライン一覧ページ、追加ヘッドラインを有するヘッドライン一覧ページ、さらには追加キーワードを含むヘッドラインに関連する本文ページ、追加ヘッドラインに関連する本文ページのみを再構築し直し、その他のヘッドライン一覧ページおよび本文ページについては既存のページ情報をそのまま利用する。【選択図】      図１３
2004295294.tif 000002
【特許請求の範囲】
【請求項１】
Ｗｅｂにアクセス可能なＷｅｂ対応電子機器装置であって、
リンク先のページが設定されているヘッドラインを含む複数のページを巡回するページ巡回手段と、
前記ページ巡回手段により巡回中の前記複数のページからそれぞれ、前記ヘッドラインのテキスト列を抜き出すヘッドライン生成手段と、
前記ヘッドライン生成手段により前記複数のページからそれぞれ抜き出された複数の前記ヘッドラインのテキスト列を構成する単語群の中から所定の判定基準に従って１つ以上のキーワードを判定するキーワード判定手段と、
前記キーワード判定手段により判定された１つ以上のキーワード、前記ヘッドライン生成手段により取得された前記ヘッドラインのテキスト列およびこのヘッドラインの前記リンク先ページのソースを用いて、前記キーワードの一覧が記述された１つ以上の第１のページ、この第１のページに記述されている個々のキーワードにそれぞれリンクされ、それぞれ共通のキーワードを含む１つ以上の前記ヘッドラインのテキスト列の一覧が記述された１つ以上の第２のページ、およびこの第２のページに記述されている個々のヘッドラインにそれぞれリンクされ、前記個々のヘッドラインのリンク先ページにおける主要なテキスト列が記述された１つ以上の第３のページを作成するページ再構築手段と、
前記ページ再構築手段によって作成された前記各ページの情報を保存するページ情報保存手段と、
前記ページ再構築手段による前記各ページの作成の回ごとに、前記ページ情報保存手段に保存されている最新の前記第１のページに記述された前記キーワードの一覧に対する追加キーワード、および前記ページ情報保存手段に保存されている最新の前記第２のページに記述された前記ベッドラインの一覧に対する追加ヘッドラインを判定し、前記第２のページについては、前記追加キーワードを含むヘッドラインを有する前記第２のページおよび前記追加ヘッドラインを有する前記第２のページのみ新規作成の対象として判定する判定手段と、
前記ページ情報保存手段によって保存された前記各ページの閲覧表示を行う閲覧表示手段と
を具備することを特徴とするＷｅｂ対応電子機器装置。
【請求項２】
前記判定手段は、前記第３のページについては、前記追加キーワードを含むヘッドラインに関連する前記第３のページおよび前記追加ヘッドラインに関連する前記第３のページのみ新規作成の対象として判定することを特徴とする請求項１に記載のＷｅｂ対応電子機器装置。
【請求項３】
前記ページ再構築手段は、前記判定手段により判定された前記追加キーワードおよび前記追加ヘッドラインを視覚的に識別可能とするための情報を前記第１のページおよび前記第２のページに付加することを特徴とする請求項１に記載のＷｅｂ対応電子機器装置。
【請求項４】
処理演算部、記憶部および表示部を有する電子機器装置にてＷｅｂコンテンツを閲覧表示する方法であって、
前記処理演算部により、リンク先のページが設定されているヘッドラインを含む複数のページを巡回し、巡回中の前記複数のページからそれぞれ、前記ヘッドラインのテキスト列を抜き出し、それぞれ抜き出された複数の前記ヘッドラインのテキスト列を構成する単語群の中から所定の判定基準に従って１つ以上のキーワードを判定し、この判定した１つ以上のキーワード、前記ヘッドラインのテキスト列およびこのヘッドラインの前記リンク先ページのソースを用いて、キーワードの一覧が記述された１つ以上の第１のページ、この第１のページに記述されている個々のキーワードにそれぞれリンクされ、それぞれ共通のキーワードを含む１つ以上の前記ヘッドラインのテキスト列の一覧が記述された１つ以上の第２のページ、およびこの第２のページに記述されている個々のヘッドラインにそれぞれリンクされ、前記個々のヘッドラインのリンク先ページにおける主要なテキスト列が記述された１つ以上の第３のページを作成して前記記憶部に保存し、この記憶部に保存された前記各ページの情報に基づいて前記表示部に前記各ページを閲覧表示し、かつ各ページの作成の回ごとに、前記記憶部に記憶されている最新の前記第１のページに記述された前記キーワードの一覧に対する追加キーワード、および前記記憶部に保存されている最新の前記第２のページに記述された前記ベッドラインの一覧に対する追加ヘッドラインを判定し、前記第２のページについては、前記追加キーワードを含むヘッドラインを有する前記第２のページおよび前記追加ヘッドラインを有する前記第２のページのみ新規作成の対象として判定することを特徴とするＷｅｂコンテンツの閲覧表示方法。
【請求項５】
前記第３のページについては、前記追加キーワードを含むヘッドラインに関連する前記第３のページおよび前記追加ヘッドラインに関連する前記第３のページのみ新規作成の対象としてさらに判定することを特徴とする請求項４に記載のＷｅｂコンテンツの閲覧表示方法。
【請求項６】
前記追加キーワードおよび前記追加ヘッドラインを視覚的に識別可能とするための情報を前記第１のページおよび前記第２のページに付加することを特徴とする請求項４に記載のＷｅｂコンテンツの閲覧表示方法。
【請求項７】
Ｗｅｂにアクセス可能なＷｅｂ対応電子機器装置に組み込まれているコンピュータを、
リンク先のページが設定されているヘッドラインを含む複数のページを巡回するページ巡回手段と、
前記ページ巡回手段により巡回中の前記複数のページからそれぞれ、前記ヘッドラインのテキスト列を抜き出すヘッドライン生成手段と、
前記ヘッドライン生成手段により前記複数のページからそれぞれ抜き出された複数の前記ヘッドラインのテキスト列を構成する単語群の中から所定の判定基準に従って１つ以上のキーワードを判定するキーワード判定手段と、
前記キーワード判定手段により判定された１つ以上のキーワード、前記ヘッドライン生成手段により取得された前記ヘッドラインのテキスト列およびこのヘッドラインの前記リンク先ページのソースを用いて、前記キーワードの一覧が記述された１つ以上の第１のページ、この第１のページに記述されている個々のキーワードにそれぞれリンクされ、それぞれ共通のキーワードを含む１つ以上の前記ヘッドラインのテキスト列の一覧が記述された１つ以上の第２のページ、およびこの第２のページに記述されている個々のヘッドラインにそれぞれリンクされ、前記個々のヘッドラインのリンク先ページにおける主要なテキスト列が記述された１つ以上の第３のページを作成するページ再構築手段と、
前記ページ再構築手段によって作成された前記各ページの情報を保存するページ情報保存手段と、
前記ページ再構築手段による前記各ページの作成の回ごとに、前記ページ情報保存手段に保存されている最新の前記第１のページに記述された前記キーワードの一覧に対する追加キーワード、および前記ページ情報保存手段に保存されている最新の前記第２のページに記述された前記ベッドラインの一覧に対する追加ヘッドラインを判定し、前記第２のページについては、前記追加キーワードを含むヘッドラインを有する前記第２のページおよび前記追加ヘッドラインを有する前記第２のページのみ新規作成の対象として判定する判定手段と、
前記ページ情報保存手段によって保存された前記各ページの閲覧表示を行う閲覧表示手段として機能させることを特徴とするプログラム。
【発明の詳細な説明】
【０００１】
【発明の属する技術分野】
本発明は、ＰＤＡ、携帯電話、テレビジョンセット、ディスク搭載型ビデオレコーダなどのプログラム組み込み型のＷｅｂ対応電子機器装置、Ｗｅｂコンテンツの閲覧表示方法、およびプログラムに関する。
【０００２】
【従来の技術】
一般に、ＰＤＡ（Ｐｅｒｓｏｎａｌ  Ｄｉｇｉｔａｌ（Ｄａｔａ）  Ａｓｓｉｓｔａｎｔｓ）、携帯電話、テレビジョンセット、ディスク搭載型ビデオレコーダなどのプログラム組み込み型のＷｅｂ対応電子機器装置が持つマン・マシンインタフェースは、パーソナルコンピュータのそれに比べると貧弱であると言わざるを得ない。これに対し、Ｗｅｂ上のコンテンツは、マウスや、フルキー配列キーボードもしくはこれに類するキーボード、さらには高解像度の表示装置を用いたパーソナルコンピュータによる閲覧表示を想定して作成される場合が多く、このため上記のようなＷｅｂ対応電子機器装置でＷｅｂ上のコンテンツを閲覧表示しようとすると、ユーザは様々な不具合に遭遇することを避けて通れなかった。
【０００３】
たとえば、Ｗｅｂ対応電子機器装置では、フルキー配列キーボードからキー数が大幅に削減された簡易キーボードを指やペンなどで操作してＵＲＬ入力を行う程度のものが多く、キー入力の操作性に劣る点はゆがめない。
【０００４】
また、Ｗｅｂ対応電子機器装置の表示デバイスは、パーソナルコンピュータのそれよりも解像度が低いものが採用される場合がほとんどである。前述したように、Ｗｅｂ上のコンテンツの多くはパーソナルコンピュータに用いられる高解像度の表示デバイスでの閲覧表示を想定して作成されているため、たとえば、図２４に示すように、ＰＤＡのようなＷｅｂ対応電子機器装置１６１に備えられた解像度の低い表示デバイスでは、全体のＷｅｂページ１６２のごく一部１６３しか一度表示できない場合が多く、ページ全体を見るには縦横のスクロール操作を繰り返さなければならないなど、ユーザにとって操作が面倒であった。
【０００５】
さらに、Ｗｅｂ対応電子機器装置に限った問題ではないが、Ｗｅｂページのなかには、ビットマップデータやアニメーションデータ、さらには音声データなどが付加されることによって全体データ容量が大きなものも少なくない。このようにデータ容量の大きいＷｅｂページを閲覧しようとした場合、アナログ接続程度の通信環境ではページのダウンロードに長い時間がかかってしまう。
【０００６】
このような課題を解決する方法として、ユーザ（ブラウザ）からの指示情報に基づいてユーザの望みＷｅｂページをユーザのブラウザに代わって収集し、収集したＷｅｂページからテキストを優先して制限容量内・制限時間内で抜き出し、抜き出したテキストデータを一つのファイルデータにまとめてユーザ（ブラウザ）に返すハイパーテキスト収集装置をＷｅｂ上に設置する方法が公知の技術として存在する（たとえば特許文献１を参照）。
【０００７】
【特許文献１】
特開平１０−２６０８９０号公報
【０００８】
【発明が解決しようとする課題】
しかしながら、かかる公知技術では、ユーザの希望するＷｅｂページを指定するためのＵＲＬなど様々な指示情報の入力が必要であり、キー入力の操作性に乏しいＷｅｂ対応電子機器装置にとっては不向きである。また、上記の公知技術では、多数の異なるＷｅｂサイトのコンテンツを収集するために、それらのＷｅｂサイト数分のＵＲＬをユーザがハイパーテキスト収集装置に対して指定しなければならず、ＵＲＬ入力操作にかなりの時間がかかってしまうことが想像できる。さらに、上記の公知技術は、複数のＷｅｂページの中のテキストデータを単に収集してユーザに提供する程度のものである。
【０００９】
本発明は、このような事情を鑑みて、Ｗｅｂ上のコンテンツを再構築してユーザによるＵＲＬなどの入力操作無しに閲覧表示する仕組みにおいて、特にページ再構築の効率を向上させてシステムの負荷を軽減させることのできるＷｅｂ対応電子機器装置、Ｗｅｂコンテンツの閲覧表示方法およびプログラムを提供することを目的としている。
【００１０】
【課題を解決するための手段】
本発明の主たる観点に係るＷｅｂ対応電子機器装置は、上記課題を解決するための手段として、Ｗｅｂにアクセス可能なＷｅｂ対応電子機器装置であって、リンク先のページが設定されているヘッドラインを含む複数のページを巡回するページ巡回手段と、ページ巡回手段により巡回中の複数のページからそれぞれ、ヘッドラインのテキスト列を抜き出すヘッドライン生成手段と、ヘッドライン生成手段により複数のページからそれぞれ抜き出された複数のヘッドラインのテキスト列を構成する単語群の中から所定の判定基準に従って１つ以上のキーワードを判定するキーワード判定手段と、キーワード判定手段により判定された１つ以上のキーワード、ヘッドライン生成手段により取得されたヘッドラインのテキスト列およびこのヘッドラインのリンク先ページのソースを用いて、キーワードの一覧が記述された１つ以上の第１のページ、この第１のページに記述されている個々のキーワードにそれぞれリンクされ、それぞれ共通のキーワードを含む１つ以上のヘッドラインのテキスト列の一覧が記述された１つ以上の第２のページ、およびこの第２のページに記述されている個々のヘッドラインにそれぞれリンクされ、個々のヘッドラインのリンク先ページにおける主要なテキスト列が記述された１つ以上の第３のページを作成するページ再構築手段と、ページ再構築手段によって作成された各ページの情報を保存するページ情報保存手段と、ページ再構築手段による各ページの作成の回ごとに、ページ情報保存手段に保存されている最新の第１のページに記述されたキーワードの一覧に対する追加キーワード、およびページ情報保存手段に保存されている最新の第２のページに記述されたベッドラインの一覧に対する追加ヘッドラインを判定し、第２のページについては、追加キーワードを含むヘッドラインを有する第２のページおよび追加ヘッドラインを有する第２のページのみ新規作成の対象として判定する判定手段と、ページ情報保存手段によって保存された各ページの閲覧表示を行う閲覧表示手段とを具備することを特徴とする。
【００１１】
この発明により、ページ再構築手段による各ページの作成の回ごとに、追加キーワードを含むヘッドラインを有する第２のページおよび追加ヘッドラインを有する第２のページのみ新規作成の対象として判定し、他の第２のページについては既存のページ情報をそのまま利用することによって、ページ作成効率が向上し、システムの負荷を軽減することができる。
【００１２】
また、Ｗｅｂ対応電子機器装置向けに最適化されたページの閲覧表示が実現され、たとえば、ＰＤＡのような低い解像度の表示デバイスしか持てないＷｅｂ対応電子機器装置においてもＷｅｂが提供するコンテンツを高い視認性で閲覧表示することができる。さらに、キーワードをベースに閲覧したいコンテンツを選択できるので、ユーザにとって興味のあるコンテンツのページに迅速にアクセスできる。加えて、共通のキーワードを含む複数のＷｅｂページのヘッドラインを一つの画面で対比して見ることもできるようになる。また、ページ再構築の際、ヘッドラインの内容に関連の無いたとえばバナーや宣伝などの不要な要素が除かれることによって、Ｗｅｂからのページダウンロードに要する時間の短縮はもちろん、表示応答速度を向上させることができる。さらに、ユーザによるＵＲＬ入力のためのキー操作が不要になり、ＰＤＡ、携帯電話などのＷｅｂ対応電子機器装置の操作性を大幅に向上させることができる。
【００１３】
また、好ましくは、判定手段は、第３のページについては、追加キーワードを含むヘッドラインに関連する第３のページおよび追加ヘッドラインに関連する第３のページのみ新規作成の対象として判定することを特徴とする。
【００１４】
この発明によれば、追加キーワードを含むヘッドラインを有する第３のページおよび追加ヘッドラインを有する第３のページを新規作成の対象として判定し、他の第３のページについては既存のページ情報をそのまま利用することによって、ページ作成効率が向上し、システムの負荷を軽減することができる。
【００１５】
さらに、好ましくは、ページ再構築手段は、判定手段により判定された追加キーワードおよび追加ヘッドラインを視覚的に識別可能とするための情報を第１のページおよび第２のページに付加することを特徴とする。
【００１６】
この発明によれば、閲覧表示された第１のページの中で追加キーワードをユーザが一目で識別することができ、また、第２のページにおいて追加ヘッドラインをユーザが一目で識別することができる。
【００１７】
本発明の別の観点に係るＷｅｂコンテンツの閲覧表示方法は、上記課題を解決するために、処理演算部、記憶部および表示部を有する電子機器装置にてＷｅｂコンテンツを閲覧表示する方法であって、処理演算部により、リンク先のページが設定されているヘッドラインを含む複数のページを巡回し、巡回中の複数のページからそれぞれ、ヘッドラインのテキスト列を抜き出し、それぞれ抜き出された複数のヘッドラインのテキスト列を構成する単語群の中から所定の判定基準に従って１つ以上のキーワードを判定し、この判定した１つ以上のキーワード、ヘッドラインのテキスト列およびこのヘッドラインのリンク先ページのソースを用いて、キーワードの一覧が記述された１つ以上の第１のページ、この第１のページに記述されている個々のキーワードにそれぞれリンクされ、それぞれ共通のキーワードを含む１つ以上のヘッドラインのテキスト列の一覧が記述された１つ以上の第２のページ、およびこの第２のページに記述されている個々のヘッドラインにそれぞれリンクされ、個々のヘッドラインのリンク先ページにおける主要なテキスト列が記述された１つ以上の第３のページを作成して記憶部に保存し、この記憶部に保存された各ページの情報に基づいて表示部に各ページを閲覧表示し、かつ各ページの作成の回ごとに、記憶部に記憶されている最新の第１のページに記述されたキーワードの一覧に対する追加キーワード、および記憶部に保存されている最新の第２のページに記述されたベッドラインの一覧に対する追加ヘッドラインを判定し、第２のページについては、追加キーワードを含むヘッドラインを有する第２のページおよび追加ヘッドラインを有する第２のページのみ新規作成の対象として判定することを特徴とする。
【００１８】
この発明により、各ページの作成の回ごとに、追加キーワードを含むヘッドラインを有する第２のページおよび追加ヘッドラインを有する第２のページのみ新規作成の対象として判定し、他の第２のページについては既存のページ情報をそのまま利用することによって、ページ作成効率が向上し、システムの負荷を軽減することができる。
【００１９】
また、Ｗｅｂ対応電子機器装置向けに最適化されたページの閲覧表示が実現され、たとえば、ＰＤＡのような低い解像度の表示デバイスしか持てないＷｅｂ対応電子機器装置においてもＷｅｂが提供するコンテンツを高い視認性で閲覧表示することができる。さらに、キーワードをベースに閲覧したいコンテンツを選択できるので、ユーザにとって興味のあるコンテンツのページに迅速にアクセスできる。加えて、共通のキーワードを含む複数のＷｅｂページのヘッドラインを一つの画面で対比して見ることもできるようになる。また、ページ再構築の際、ヘッドラインの内容に関連の無いたとえばバナーや宣伝などの不要な要素が除かれることによって、Ｗｅｂからのページダウンロードに要する時間の短縮はもちろん、表示応答速度を向上させることができる。さらに、ユーザによるＵＲＬ入力のためのキー操作が不要になり、ＰＤＡ、携帯電話などのＷｅｂ対応電子機器装置の操作性を大幅に向上させることができる。
【００２０】
また、好ましくは、第３のページについては、追加キーワードを含むヘッドラインを有する第３のページおよび追加ヘッドラインを有する第３のページを新規作成の対象として判定することを特徴とする。
【００２１】
この発明によれば、追加キーワードを含むヘッドラインを有する第３のページおよび追加ヘッドラインを有する第３のページを新規作成の対象として判定し、他の第３のページについては既存のページ情報をそのまま利用することによって、ページ作成効率が向上し、システムの負荷を軽減することができる。
【００２２】
さらに、好ましくは、判定された追加キーワードおよび追加ヘッドラインを視覚的に識別可能とするための情報を第１のページおよび第２のページに付加することを特徴とする。
【００２３】
この発明によれば、閲覧表示された第１のページの中で追加キーワードをユーザが一目で識別することができ、また、第２のページにおいて追加ヘッドラインをユーザが一目で識別することができる。
【００２４】
さらに、本発明の別の観点に係るプログラムは、上記課題を解決するために、Ｗｅｂにアクセス可能なＷｅｂ対応電子機器装置に組み込まれているコンピュータを、リンク先のページが設定されているヘッドラインを含む複数のページを巡回するページ巡回手段と、ページ巡回手段により巡回中の複数のページからそれぞれ、ヘッドラインのテキスト列を抜き出すヘッドライン生成手段と、ヘッドライン生成手段により複数のページからそれぞれ抜き出された複数のヘッドラインのテキスト列を構成する単語群の中から所定の判定基準に従って１つ以上のキーワードを判定するキーワード判定手段と、キーワード判定手段により判定された１つ以上のキーワード、ヘッドライン生成手段により取得されたヘッドラインのテキスト列およびこのヘッドラインのリンク先ページのソースを用いて、キーワードの一覧が記述された１つ以上の第１のページ、この第１のページに記述されている個々のキーワードにそれぞれリンクされ、それぞれ共通のキーワードを含む１つ以上のヘッドラインのテキスト列の一覧が記述された１つ以上の第２のページ、およびこの第２のページに記述されている個々のヘッドラインにそれぞれリンクされ、個々のヘッドラインのリンク先ページにおける主要なテキスト列が記述された１つ以上の第３のページを作成するページ再構築手段と、ページ再構築手段によって作成された各ページの情報を保存するページ情報保存手段と、ページ再構築手段による各ページの作成の回ごとに、ページ情報保存手段に保存されている最新の第１のページに記述されたキーワードの一覧に対する追加キーワード、およびページ情報保存手段に保存されている最新の第２のページに記述されたベッドラインの一覧に対する追加ヘッドラインを判定し、第２のページについては、追加キーワードを含むヘッドラインを有する第２のページおよび追加ヘッドラインを有する第２のページのみ新規作成の対象として判定する判定手段と、ページ情報保存手段によって保存された各ページの閲覧表示を行う閲覧表示手段として機能させることを特徴とする。
【００２５】
このプログラムでＷｅｂ対応電子機器装置に組み込まれているコンピュータを機能させることによって、各ページの作成の回ごとに、追加キーワードを含むヘッドラインを有する第２のページおよび追加ヘッドラインを有する第２のページを新規作成の対象として判定し、他の第２のページについては既存のページ情報をそのまま利用することによって、ページ作成効率が向上し、システムの負荷を軽減することができる。
【００２６】
また、Ｗｅｂ対応電子機器装置向けに最適化されたページの閲覧表示が実現され、たとえば、ＰＤＡのような低い解像度の表示デバイスしか持てないＷｅｂ対応電子機器装置においてもＷｅｂが提供するコンテンツを高い視認性で閲覧表示することができる。さらに、キーワードをベースに閲覧したいコンテンツを選択できるので、ユーザにとって興味のあるコンテンツのページに迅速にアクセスできる。加えて、共通のキーワードを含む複数のＷｅｂページのヘッドラインを一つの画面で対比して見ることもできるようになる。また、ページ再構築の際、ヘッドラインの内容に関連の無いたとえばバナーや宣伝などの不要な要素が除かれることによって、Ｗｅｂからのページダウンロードに要する時間の短縮はもちろん、表示応答速度を向上させることができる。さらに、ユーザによるＵＲＬ入力のためのキー操作が不要になり、ＰＤＡ、携帯電話などのＷｅｂ対応電子機器装置の操作性を大幅に向上させることができる。
【００２７】
【発明の実施の形態】
以下、本発明の実施の形態を図面に基づいて説明する。
【００２８】
図１は、本発明を適用した実施の一形態であるＷｅｂ対応電子機器装置の電気的な構成を示すブロック図である。
【００２９】
同図に示すように、このＷｅｂ対応電子機器装置１００は、処理演算部としてのＣＰＵ（Ｃｅｎｔｒａｌ  Ｐｒｏｃｅｓｓｉｎｇ  Ｕｎｉｔ）１、メインメモリ２、プログラム／データ記憶部３、インターネットなどのネットワーク４との接続を処理するネットワークインタフェース部５、ユーザに情報を視覚的に提供する表示デバイス６、ＶＲＡＭ（Ｖｉｄｅｏ  Ｒａｎｄｏｍ  Ａｃｃｅｓｓ  Ｍｅｍｏｒｙ）７を用いて表示デバイス６の画面への描画処理を行うグラフィックコントローラ８、ユーザに聴覚的に情報を提供するスピーカ９、ユーザの操作入力部１３からの入力を処理するユーザインタフェースコントローラ１４、そして以上の各部の間で信号を伝達するためのバス１５を備える。
【００３０】
ＣＰＵ１は、たとえばプログラム／データ記憶部３に記憶されたプログラムやデータ、ユーザによる操作入力部１３からの入力などに基づき、メインメモリ２をワークエリアとして用いて各種の演算処理や制御を実行する。
【００３１】
メインメモリ２は、たとえば、ＲＡＭ（Ｒａｎｄｏｍ  Ａｃｃｅｓｓ  Ｍｅｍｏｒｙ）などの、ランダムに読み取りと書き込みが可能な高速なメモリからなる。
【００３２】
プログラム／データ記憶部３は、読み取り専用あるいは読み書き可能な不揮発性の記憶装置であり、たとえばＲＯＭ（Ｒｅａｄ  Ｏｎｌｙ  Ｍｅｍｏｒｙ）、フラッシュＲＯＭ、ディスクドライブなどである。
【００３３】
表示デバイス６は、具体的には、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、ＯＥＬ（Ｏｒｇａｎｉｃ  Ｅｌｅｃｔｒｏｌｕｍｉｎｅｓｃｅｎｃｅ）などである。
【００３４】
ユーザの操作入力部１３は、具体的には、簡易キーボード、ＩＲ（Ｉｎｆｒａｒｅｄ）リモートコントローラ、ジョグダイヤル、プッシュボタンなどである。
【００３５】
ネットワークインタフェース部５は、たとえばアナログモデム、ＬＡＮ（Ｌｏｃａｌ  Ａｒｅａ  Ｎｅｔｗｏｒｋ）、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ−Ｔｏ−Ｔｈｅ−Ｈｏｍｅ）、Ｂｌｕｅｔｏｏｔｈ、ＦＯＭＡ（Ｗ−ＣＤＭＡ）などである。
【００３６】
図２は、Ｗｅｂページの巡回収集・再構築時および閲覧表示時にメインメモリ２に設けられる領域の構成を示すものである。
【００３７】
同図に示すように、Ｗｅｂページの巡回収集・再構築時および閲覧表示時、メインメモリ２には、基本プログラム領域２１、ページ巡回・再構築プログラム格納領域２２、ページ巡回リスト格納領域２３、Ｗｅｂブラウザ格納領域２４、キーワード・ヘッドライン・ＵＲＬデータベース格納領域２５、単語・品詞データベース格納領域２６、キーワード・ヘッドライン追加判定情報格納領域２７などが設けられる。
【００３８】
基本プログラム領域２１は、このＷｅｂ対応電子機器装置１００を動作させるための基本プログラムが格納される領域である。
【００３９】
ページ巡回・再構築プログラム格納領域２２は、基本プログラムの下で、複数のＷｅｂページを巡回し、それらのＷｅｂページのソースからＷｅｂ対応電子機器装置向けに最適化されたページを再構築する処理手順であるプログラムが格納される領域である。
【００４０】
ページ巡回リスト格納領域２３は、ページ巡回・再構築プログラムによる巡回先の複数のＷｅｂページのＵＲＬの一覧が記述されたページ巡回リストが格納される領域である。
【００４１】
Ｗｅｂブラウザ格納領域２４は、利用者からのページ閲覧要求に対してＷｅｂ対応電子機器装置向けに再構築されたページの閲覧表示を行うためのプロクラムであるＷｅｂブラウザが格納される領域である。
【００４２】
キーワード・ヘッドライン・ＵＲＬデータベース格納領域２５は、ページ巡回・再構築プログラムによるページ再構築の過程で生成される、キーワードおよびヘッドラインのデータと、そのヘッドラインのリンク先ページのＵＲＬなどを集めたデータベースが格納される領域である。
【００４３】
単語・品詞データベース格納領域２６は、ページ巡回・再構築プログラムによるページ再構築の過程で生成される、ヘッドラインのテキスト列を構成する個々の単語とその品詞を集めたデータベースが格納される領域である。
【００４４】
キーワード・ヘッドライン追加判定情報格納領域２７は、新たにページ再構築が行われる際に既存の再構築ページに対して追加キーワードおよびヘッドラインを判定するために必要な情報が格納される領域である。
【００４５】
図３は、上記ページ巡回・再構築プログラムのモジュール構成を示す図である。同図に示すように、ページ巡回・再構築プログラムは、ページ巡回エンジン３１、ヘッドライン生成エンジン３２、形態素解析エンジン３３、キーワード生成エンジン３４、およびページ再構築エンジン３５で構成される。
【００４６】
ページ巡回エンジン３１は、一定の時間間隔で、予め定義もしくは作成しておいたページ巡回リストの記述内容であるＷｅｂページのＵＲＬの一覧に従って複数のＷｅｂページの巡回を行う。
【００４７】
ヘッドライン生成エンジン３２は、ページ巡回エンジン３１による巡回中のＷｅｂページの中からヘッドラインのテキスト列を抜き出すとともに、このヘッドラインのリンク先ページのＵＲＬを抜き出し、これらのヘッドラインのテキスト列とＵＲＬを、キーワード・ヘッドライン・ＵＲＬデータベースに蓄積する。
【００４８】
形態素解析エンジン３３は、キーワード・ヘッドライン・ＵＲＬデータベースに格納されているヘッドラインの文章であるテキスト列に対して形態素解析を行って当該テキスト列を複数の単語に分割するとともに個々の単語の品詞を判定し、これら単語と品詞とを関連付けてデータベース化、すなわち単語・品詞データベースを生成する。
【００４９】
キーワード生成エンジン３４は、単語・品詞データベースの内容から、たとえば固有名詞、施設名、組織名、人名、正規の人名以外の呼称、都道府県名、区名など、キーワードとなり得る類の品詞と判定された単語をキーワードとして判定し、キーワード・ヘッドライン・ＵＲＬデータベースに蓄積する。
【００５０】
ページ再構築エンジン３５は、キーワード・ヘッドライン・ＵＲＬデータベースに格納されているキーワードおよびヘッドラインのテキスト列、そのヘッドラインのリンク先ページのソースを用いて、本Ｗｅｂ対応電子機器装置向けに最適化したページを再構築する。
【００５１】
次に、このＷｅｂ対応電子機器装置におけるページ巡回・再構築プログラムに基づく一連の動作を図４のフローチャートに従い具体例を交えながら説明する。
【００５２】
基本プログラムの下でページ巡回・再構築プログラムがメインメモリ２に常駐して動作しているものとする。
【００５３】
ページ巡回・再構築プログラムのページ巡回エンジン３１は、予め設定された一定の時間間隔で（ステップ４０１）、ページ巡回リストに載っているＵＲＬ（Ｕｎｉｆｏｒｍ  Ｒｅｓｏｕｒｃｅ  Ｌｏｃａｔｏｒ）を決められた順に一つずつ読み込み（ステップ４０３）、この読み込んだＵＲＬのＷｅｂページにアクセスする（ステップ４０４）。
【００５４】
図５はページ巡回リスト５１の例を示すものである。ページ巡回リスト５１には１つ以上のＷｅｂページのＵＲＬが記述されている。本実施形態では、たとえば「新聞」「スポーツ・芸能」「歌謡曲」といったカテゴリー別のＷｅｂページのＵＲＬの一覧がページ巡回リスト５１に記述されている。このページ巡回リスト５１は、予めＷｅｂ対応電子機器装置１００にプリセットしておくか、あるいは、Ｗｅｂ上で定期的に配信されるものを入手するようにすればよい。
【００５５】
一つのＷｅｂページのソースをＷｅｂ対応電子機器装置１００が取得したところで、ヘッドライン生成エンジン３２は、その取得したＷｅｂページのソースの中からヘッドラインのテキスト列とこのヘッドラインのリンク先ページのＵＲＬを抜き出す（ステップ４０５）。
【００５６】
図６に新聞のサイトのＷｅｂページの例を示す。ここで、ヘッドラインとは、たとえばＷｅｂサイトのホームページ６０上などに表示される記事などの見出し６１のことであり、このヘッドライン（見出し６１）の部分には、その本文である詳細な記事内容（テキスト列）６４を載せた他のＷｅｂページ６２へのリンク６３が設定されている。
【００５７】
Ｗｅｂページのソースの中からヘッドラインのテキスト列を抜き出す具体的な方法としては以下がある。図７は図６のＷｅｂページ６０の一部６２とこれに対応するＨＴＭＬソース７１を示している。ヘッドライン生成エンジン３２は、このＨＴＭＬソース７１において、アンカーと呼ばれる＜ａ＞タグと＜／ａ＞タグとに挟まれた部分のテキスト列７２を対象に、これがヘッドラインであるかどうかの判定を個々に行う。
【００５８】
また、この＜ａ＞タグと＜／ａ＞タグとに挟まれたテキスト列７２がヘッドラインであるかどうかを判定する具体的な方法としては、そのテキスト列７２の文字数が一定の数以上である場合にヘッドラインであることを判定する方法、そのテキスト列７２の文字数のページ内での平均値を求め、この平均値を基準とする所定の判定条件に従ってヘッドラインであるかどうかを判定する方法、アンカータグの連続している数（行数）をカウントし、このカウント値が一定以上である場合にこれらのアンカータグにより囲まれたテキスト列７２がヘッドラインであると判定する方法などがある。
【００５９】
ヘッドライン生成エンジン３２は、取得したＷｅｂページのソースから上記の方法によりヘッドラインのテキスト列７２を抜き出すとともに、アンカータグにｈｒｅｆ属性として記述されているリンク先のページのＵＲＬ７３を抜き出し、これらのヘッドラインのテキスト列７２とＵＲＬとを集めてデータベース化を行う。すなわち、メインメモリ２のキーワード・ヘッドライン・ＵＲＬデータベース格納領域２５にキーワード・ヘッドライン・ＵＲＬデータベースとして格納する（ステップ４０６）。以上のようにして、ページ巡回リスト５１に記述されている全てのＷｅｂページのＵＲＬの読み込みが完了したところで（ステップ４０２のＹＥＳ）、形態素解析エンジン３３が起動される。
【００６０】
形態素解析エンジン３３は、キーワード・ヘッドライン・ＵＲＬデータベースに格納されているヘッドラインの文章であるテキスト列に対して形態素解析を行って、ヘッドラインのテキスト列を複数の単語に分割するとともに、分割した個々の単語の品詞を判定する（ステップ４０７）。
【００６１】
図８は、ヘッドラインの文章の形態素解析の例である。このように形態素解析によって、ヘッドラインのテキスト列８０は複数の単語８１に分割され、それぞれの単語８１の品詞８２が判定される。そして形態素解析エンジン３３は、判定した単語８１とその品詞８２を関連付けてメインメモリ２の単語・品詞データベース格納領域２６にデータベース化して保存する（ステップ４０８）。
【００６２】
次に、キーワード生成エンジン３４が起動される。キーワード生成エンジン３４は、単語・品詞データベースの内容から、たとえば固有名詞、施設名、組織名、人名、正規の人名以外の呼称、都道府県名、区名など、キーワードとなり得る類の品詞と判定された単語をキーワードとして抽出して、キーワード・ヘッドライン・ＵＲＬデータベースに蓄積する（ステップ４０９）。また、このキーワード生成においては、辞書にない新語や姓名などもキーワードとして検出できるように、最適化が行われたキーワード選定基準が採用されている。
【００６３】
図９は、キーワード・ヘッドライン・ＵＲＬデータベースの内容の例を示すものである。同図に示すように、このキーワード・ヘッドライン・ＵＲＬデータベース８３には、キーワード８４、このキーワードを含むヘッドラインの内容８５、およびヘッドラインのリンク先のページのＵＲＬ８６が記録されている。
【００６４】
この後、ページ再構築エンジン３５が起動される。ページ再構築エンジン３５は、キーワード・ヘッドライン・ＵＲＬデータベースに格納されているキーワードおよびヘッドラインのテキスト列、そのリンク先ページのソースを用いて、本Ｗｅｂ対応電子機器装置向けに最適化されたページの再構築を行う（ステップ４１０）。
【００６５】
図１０は、このページ再構築エンジン３５によって再構築されたページとそれらのリンクの例を示したものである。本例では、キーワードの一覧が記述された１つ以上のキーワード一覧ページ１０１と、それぞれキーワード毎に作成された１つ以上のページであって、それぞれ共通のキーワードを含むヘッドラインの一覧が記述されたヘッドライン一覧ページ１０２と、それぞれヘッドライン毎に作成された１つ以上のページであって、それぞれ個々のヘッドラインにリンクされたＷｅｂページ中の主要なテキスト部分からなる本文ページ１０３とが作成される。
【００６６】
ここで、キーワード一覧ページ１０１はそれぞれ、ページ巡回リストに対応して設定されたポータルページ１０４の個々のカテゴリー項目に１対１に対応してリンクされたページとして作成される。ヘッドライン一覧ページ１０２は、キーワード一覧ページ１０１に記述されている個々のキーワードに１対１に対応してリンクされたページとして作成される。
【００６７】
また、本文ページ１０３は、ヘッドラインのリンク先である実際のＷｅｂページのソースの中から、ヘッドラインの内容とは無関係なバナーや宣伝などの要素を除いた主要なテキスト列だけを抽出して作成される。その具体的な方法としては、たとえば図１１に示すように、ヘッドラインのリンク先である実際のＷｅｂサイト１１０のＨＴＭＬソース１１１において、タグ間に囲まれたテキストの文字数がページ内で最も多い部分のテキスト列１１２を抽出するなどの方法がある。その際、タグの種類によって主要なテキストを含む部分を絞り込むことによって、テキスト抽出の処理効率を高めることができる。
【００６８】
このようにしてページ再構築エンジン３５によって再構築された各ページのＨＴＭＬソースのファイルは、プログラム／データ記憶部３に格納される。この後、ページ再構築エンジン３５は、キーワード・ヘッドライン追加判定情報を生成して、メインメモリ２のキーワード・ヘッドライン追加判定情報格納領域２７に保存する（ステップ４１１）。
【００６９】
図１２は、このキーワード・ヘッドライン追加判定情報９０の例を示すものである。同図に示すように、このキーワード・ヘッドライン追加判定情報９０は、キーワード９１、このキーワードを含むヘッドラインの一覧のＨＴＭＬファイルの格納場所９２、ヘッドラインの内容９３、およびヘッドラインのリンク先のページのＵＲＬ９４からなる。
【００７０】
そしてページ再構築エンジン３５は、新たにページ再構築を実行するとき、すべてのヘッドライン一覧ページを再構築するのではなく、上記のキーワード・ヘッドライン追加判定情報９０をベースに、今回の追加キーワードと追加ヘッドラインを判定し、キーワード一覧ページ、追加キーワードを含むヘッドラインを有するヘッドライン一覧ページ、追加ヘッドラインを有するヘッドライン一覧ページ、さらには追加キーワードを含むヘッドラインに関連する本文ページ、追加ヘッドラインに関連する本文ページのみを再構築し直し、その他のヘッドライン一覧ページおよび本文ページについては既存のページ情報をそのまま利用するものとしている。
【００７１】
図１３は、このページ再構築エンジン３５によるページ再構築の手順を示すフローチャートである。
【００７２】
ページ再構築エンジン３５は、まず、メインメモリ２のキーワード・ヘッドライン追加判定情報格納領域２７に保存されたキーワード・ヘッドライン追加判定情報９０を読み込んだ後（ステップ１０１）、今回再構築するページのファイルの保存場所たとえばディレクトリを作成する（ステップ１０２）。
【００７３】
図１４は、このファイル保存場所のウィンドウ画面での表示例を示すものである。再構築されたページ情報のファイルのうち、キーワード一覧ページのファイル９５は常に最新のものが一つだけ保存されている。ヘッドライン一覧ページと本文ページのファイルは、ページ再構築が行われる度に作成される一つのディレクトリ９６にまとめて置かれるようになっている。それぞれのディレクトリ９６およびファイル９５（ディレクトリ９６内のファイルを含む）にはその名前９７と作成日時９８などの情報が付加されている。
【００７４】
次に、ページ再構築エンジン３５は、図９に示したようなキーワード・ヘッドライン・ＵＲＬデータベース８３からキーワード８４を一つ抽出し、このキーワードに関連するキーワード一覧ページのベースとなるＨＴＭＬデータを作成する（ステップ１０３）。
【００７５】
この後、今回抽出したキーワードが追加キーワードであるかどうかを、キーワード・ヘッドライン追加判定情報９０を参照して調べる（ステップ１０４）。今回抽出したキーワードが追加キーワードであることが判定された場合には（ステップ１０４のＹＥＳ）、この追加キーワードのデータにこれが追加キーワードであることを示す情報たとえば”ＮＥＷ！”という文字列を付加する（ステップ１０５）。
【００７６】
次に、ページ再構築エンジン３５は、この追加キーワードに関連するヘッドライン一覧ページのベースとなるＨＴＭＬデータを作成する（ステップ１０６）。続いて、この追加キーワードに関連するヘッドラインのデータをキーワード・ヘッドライン・ＵＲＬデータベース８３より一つ抽出し（ステップ１０７）、そのヘッドラインのデータに、これが追加ヘッドラインであることを示す情報たとえば、”ＮＥＷ！”という文字列を付加する（ステップ１０８）。
【００７７】
次に、この追加ヘッドラインの本文ページのＨＴＭＬデータを作成する（ステップ１０９）。そしてヘッドライン一覧ページに、当該追加ヘッドラインのデータと、この追加ヘッドラインの本文ページへのリンク情報を追加する（ステップ１１０）。
【００７８】
この後、追加キーワードに関連する別のヘッドラインの有無を調べ、別のヘッドラインがあれば（ステップ１１１のＹＥＳ）、ステップ１０７に戻って、そのヘッドラインのデータの抽出（ステップ１０７）、追加ヘッドラインであることを示す情報の追加（ステップ１０８）、本文ページの作成（ステップ１０９）、ヘッドラインのＨＴＭＬデータのベースへの追加ヘッドラインのデータと本文ページへのリンク情報の追加（ステップ１１０）を繰り返す。
【００７９】
追加キーワードを含むすべてのヘッドラインについて上記処理が完了したなら（ステップ１１１のＮＯ）、ヘッドライン一覧ページのＨＴＭＬデータをファイルに書き出し、ステップ１０２で作成したディレクトリに保存する（ステップ１１２）。
【００８０】
次に、ページ再構築エンジン３５は、ステップ１０３にて作成しておいたキーワード一覧ページに、今回の追加キーワードのデータとヘッドライン一覧ページへのリンク情報を追加する（ステップ１２４）。この後、ステップ１０３に戻り、次のキーワードに処理の対象を移す（ステップ１２５のＹＥＳ）。
【００８１】
一方、ステップ１０４で追加キーワードでないことが判定された場合には、キーワード・ヘッドライン・ＵＲＬデータベース８３内に当該キーワードに関連する追加ヘッドラインがあるかどうかを、キーワード・ヘッドライン追加判定情報９０との比較により調べる（ステップ１１３）。
【００８２】
追加ヘッドラインがあることが判定された場合には（ステップ１１３のＹＥＳ）、当該キーワードのデータに新規の旨を示す情報たとえば”ＮＥＷ！”という文字列を付加する（ステップ１１４）。次に、そのキーワードに関連するヘッドライン一覧ページのベースとなるＨＴＭＬデータを作成する（ステップ１１５）。
【００８３】
この後、当該キーワードに関連するヘッドラインのデータをキーワード・ヘッドライン・ＵＲＬデータベース８３より抽出し（ステップ１１６）、このヘッドラインが追加ヘッドラインであるかどうかを判断し（ステップ１１７）、追加ヘッドラインならば、その追加ヘッドラインのデータに、これが追加ヘッドラインであることを示す情報たとえば”ＮＥＷ！”という文字列を付加する（ステップ１１８）。続いて、この追加ヘッドラインの本文ページのＨＴＭＬデータを作成する（ステップ１１９）。そしてヘッドライン一覧ページのベースに、当該追加ヘッドラインのデータと、この追加ヘッドラインに対応する本文ページへのリンク情報を追加する（ステップ１２０）。
【００８４】
なお、ステップ１１７で、抽出したヘッドラインが追加ヘッドラインではないことが判定された場合には、当該ヘッドラインのリンク先の既存本文ページの作成日時（図１４の作成日時９８）に基づいて、この既存本文ページが指定された日時内のものであるかどうかを判定し（ステップ１２３）、指定された日時内のものならば、ステップ１２０で当該ヘッドラインのデータとこのヘッドラインに関連する既存本文ページへのリンク情報をヘッドライン一覧ページに追加する。すなわち、ヘッドラインの本文ページに有効期間を設定できるようにしておき、有効期間を超えるものは、再構築ページから自動的に削除されるようにしている。
【００８５】
この後、今回のキーワードに関連する別のヘッドラインの有無を調べ（ステップ１２１）、別のヘッドラインがあれば、ステップ１１６に戻って上記の処理を繰り返す。今回のキーワードに関連するすべてのヘッドラインについて上記処理が完了したなら（ステップ１２１のＮＯ）、ヘッドライン一覧ページのＨＴＭＬデータをファイルに書き出す（ステップ１２２）。
【００８６】
次に、ステップ１１５にて作成しておいたキーワード一覧ページのベースに、今回のキーワードのデータと、このキーワードを含むヘッドライン一覧ページへのリンク情報を追加する（ステップ１２４）。この後、処理対象とすべき次のキーワードがあるかどうかを判断し（ステップ１２５）、次のキーワードがあればステップ１０３に戻って当該キーワードを処理対象として同様の処理を繰り返す。
【００８７】
また、ステップ１０３で追加キーワードでないことが判定された場合で（ステップ１０４のＮＯ）、かつこのキーワードに関連する追加ヘッドラインがないことが判定された場合には（ステップ１１３のＮＯ）、当該キーワードに関連する既存のヘッドライン一覧ページのデータから、これが追加ヘッドラインであることを示す情報たとえば”ＮＥＷ！”などの文字列を削除する（ステップ１２６−１２７）。
【００８８】
続いて、この既存のヘッドライン一覧ページの作成日時（図１４の作成日時９８）を読み込み、このヘッドライン一覧ページが指定日時内のものであるかどうかを判定する（ステップ１２８）。指定日時内のものならば、この既存のヘッドライン一覧ページをそのまま有効とみなし、この既存のヘッドライン一覧ページへのリンク情報を、今回のキーワードのデータとともに、ステップ１０３にて作成しておいたキーワード一覧ページのベースに追加する（ステップ１２４）。既存のヘッドライン一覧ページが指定日時外のものならば、このヘッドライン一覧ページは無効と見なし、ステップ１２４の処理はスキップされる。この後、ステップ１２５に移って、キーワード・ヘッドライン・ＵＲＬデータベース８３から次のキーワードを抽出してこのキーワードについての上記の処理を繰り返す。
【００８９】
以上のようにして、ページ再構築エンジン３５は、キーワード・ヘッドライン・ＵＲＬデータベース８３より抽出した一つ一つのキーワードについて、上記の処理を繰り返し、すべてのキーワードに対する処理が完了したところで（ステップ１２５のＮＯ）、キーワード一覧ページのＨＴＭＬデータをファイルに書き出し、ステップ１０２で作成したディレクトリに保存する（ステップ１２９）。
【００９０】
このようにして、ページ再構築エンジン３５は、新たにページ再構築を実行するとき、すべてのヘッドライン一覧ページを再構築するのではなく、上記のキーワード・ヘッドライン追加判定情報９０をベースに、今回の追加キーワードと追加ヘッドラインを判定し、キーワード一覧ページ、追加キーワードを含むヘッドラインを有するヘッドライン一覧ページ、追加ヘッドラインを有するヘッドライン一覧ページ、さらには追加キーワードを含むヘッドラインに関連する本文ページ、追加ヘッドラインに関連する本文ページのみを再構築し直し、その他のヘッドライン一覧ページおよび本文ページについては既存のページ情報をそのまま利用するようにしている。
【００９１】
図１５に、以上のページ再構築による更新前のヘッドライン一覧ページ１５１と更新後ヘッドライン一覧ページ１５２の例を示す図である。この例は、キーワードに関連するヘッドライン１５３が一つ追加されたケースを示している。この追加ヘッドライン１５３のデータには、これが追加ヘッドラインであることを示す情報たとえば”ＮＥＷ！”という文字列１５４が付加されており、ユーザは一目で追加ヘッドラインを識別することができるようになっている。
【００９２】
図１６は、この更新後のヘッドライン一覧ページ１５２のソース１５５の例である。追加ヘッドラインのデータには”ＮＥＷ！”という文字列１５６が追加されている。ただし、これは一例にすぎず、たとえば”ＮＥＷ！”という絵柄のイメージを貼り付けてもよい。
【００９３】
ユーザによってＷｅｂブラウザが起動されると、表示デバイス６の画面に、たとえば図１０に示すようなポータルページ１０４が表示される。このポータルページ１０４には「新聞」「スポーツ・芸能」「歌謡曲」といったカテゴリーを示す項目が表示されており、その中からユーザが操作入力部１３によって所望の項目を選択すると、Ｗｅｂブラウザによって、その選択項目にリンクされているキーワード一覧ページ１０１が表示デバイス６の画面に表示される。
【００９４】
次に、この表示デバイス６の画面に表示されている、図１０に示すキーワード一覧ページ１０１の中から、ユーザによって所望のキーワードが選択されると、Ｗｅｂブラウザによって、その選択キーワードにリンクされている、ヘッドラインの一覧のページであるページ１０２が表示デバイス６の画面に表示される。
【００９５】
さらに、この表示デバイス６の画面に表示されているヘッドライン一覧ページ１０２の中から、ユーザによって所望のヘッドラインが選択されると、Ｗｅｂブラウザによって、その選択ヘッドラインにリンクされている本文ページ１０３が表示デバイス６の画面に表示される。
【００９６】
このようにしてＷｅｂ対応電子機器装置向けに最適化されたページの閲覧表示が実現される。たとえば、図１７に示すように、表示解像度の低いＰＤＡのようなＷｅｂ対応電子機器装置１５０においてもＷｅｂが提供するコンテンツを高い視認性で閲覧することができる。
【００９７】
また、Ｗｅｂ対応電子機器装置向けに再構築されたページのＨＴＭＬソースのファイルはＷｅｂ対応電子機器装置１００内の記憶装置たとえばプログラム／データ記憶部３などに格納されるので、Ｗｅｂブラウザからのページの閲覧要求に対して内部記憶部をアクセスして該当するページのソースを読み込むことになり、ページ閲覧表示の平均的な応答速度が向上するとともに、オフラインで、多数のＷｅｂサイトのコンテンツの閲覧表示を行うことが可能になる。
【００９８】
さらに、キーワードをベースに閲覧したいコンテンツを選択できるので、ユーザにとって興味のあるコンテンツのページに迅速にアクセスできるようになる。また、共通のキーワードを含む複数のＷｅｂページのヘッドラインを一つの画面で対比して見ることができる。
【００９９】
また、ページ再構築の際、ヘッドラインの内容に関連の無いたとえばバナーや宣伝などの不要な要素が除かれることによって、Ｗｅｂからのページダウンロードに要する時間の短縮はもちろん、表示応答速度を向上させることができる。
【０１００】
さらに、ユーザによるＵＲＬ入力のためのキー操作などが不要になるので、ＰＤＡ、携帯電話などのＷｅｂ対応電子機器装置の操作性向上に大きく寄与する。
そして、ページ再構築エンジン３５は、新たにページ再構築を実行するとき、すべてのヘッドライン一覧ページを再構築するのではなく、キーワード一覧ページ、追加キーワードを含むヘッドラインを有するヘッドライン一覧ページ、追加ヘッドラインを有するヘッドライン一覧ページ、さらには追加キーワードを含むヘッドラインに関連する本文ページ、追加ヘッドラインに関連する本文ページのみを再構築し直し、その他のヘッドライン一覧ページおよび本文ページについては既存のページ情報をそのまま利用するので、ページ作成効率が向上し、システムの負荷を軽減することができる。
【０１０１】
以上説明したＷｅｂ対応電子機器装置１００は、具体的には、ＰＤＡ、携帯電話などの端末機器や、テレビジョンセット、ディスク搭載型ビデオレコーダなどに代表される様々な種類のデジタル家電機器に採用することができる。
【０１０２】
テレビジョンセットやディスク搭載型ビデオレコーダのなかには、予めユーザによって入力されたキーワードなどにより番組録画予約を行う機能を搭載したものがある。そこで、図１０に示すキーワード一覧ページ１０１の中から、番組録画予約のためにユーザから入力されたキーワードを検索し、たとえば、図１８に示すように、そのキーワードにリンクされたヘッドライン一覧ページ１０２をテレビジョン１４０の画面１４１に表示するようにしてもよい。これにより録画予約番組に関連するＷｅｂ上のコンテンツをユーザに提供することができる。
【０１０３】
なお、以上のＷｅｂ対応電子機器装置１００で実行されるページ巡回、ヘッドライン生成、形態素解析、キーワード生成、ページ再構築の各処理は、インターネット上に設置したサーバで行うようにすることも可能である。この場合、再構築されたページのＨＴＭＬソースをサーバ側に保存しておく。サーバはＷｅｂ対応電子機器装置からのリクエストを受けて、保存しておいた再構築されたページを返信する。
【０１０４】
図１９は、この場合のＷｅｂシステムの構成を示す図である。窓口サーバ１３１とＷｅｂ対応電子機器装置１３２とはインターネット１３３を通じて接続可能とされている。窓口サーバ１３１は、ＣＰＵ１３８、メインメモリ１３４、プログラム／データ格納部１３５などを備えている。プログラム／データ格納部１３５には、先の実施形態のＷｅｂ対応電子機器装置１００に組み込まれたページ巡回・再構築プログラムと同様の、ページ巡回エンジン、ヘッドライン生成エンジン、形態素解析エンジン、キーワード生成エンジン、Ｗｅｂページ再構築エンジンを含むページ巡回・再構築プログラム１３６が格納されている。このページ巡回・再構築プログラム１３６はＣＰＵ１３８によってメインメモリ１３４にロードされ、解釈実行される。
【０１０５】
一方、Ｗｅｂ対応電子機器装置１３２にはＷｅｂブラウザ１３７が実装されており、このＷｅｂブラウザ１３７は、窓口サーバ１３１に対して、再構築されたページの配信サービスをリクエストする。窓口サーバ１３１はＷｅｂ対応電子機器装置１３２のＷｅｂブラウザ１３７からのリクエストを受けて、ポータルページの配信から、再構築されたページである、キーワード一覧ページ、ヘッドライン一覧ページ、および本文ページを配信する。
【０１０６】
また、上記実施形態で説明したページ再構築の仕組みは、その一部を変更して、ニュースなどの情報の公開を目的とするサイトのトップページなどの自動更新に適用することが可能である。この場合のページ自動更新の仕組みについて説明する。図２０は、このページの自動更新の処理手順を示すフローチャートである。
【０１０７】
まず、予め設定された一定の時間間隔で（ステップ５０１）、ページ巡回リストに載っているＵＲＬ（Ｕｎｉｆｏｒｍ  Ｒｅｓｏｕｒｃｅ  Ｌｏｃａｔｏｒ）を決められた順に一つずつ読み込み（ステップ５０３）、この読み込んだＵＲＬのＷｅｂページにアクセスする（ステップ５０４）。一つのＷｅｂページのソースを取得したところで、その取得したＷｅｂページのソースの中からヘッドラインのテキスト列とこのヘッドラインのリンク先ページのＵＲＬを抜き出す（ステップ５０５）。次に、取得したＷｅｂページのソースからヘッドラインのテキスト列を抜き出すとともに、リンク先のページのＵＲＬを抜き出し、これらのヘッドラインのテキスト列とＵＲＬとを集めてヘッドライン・ＵＲＬデータベースとして保存する（ステップ５０６）。
【０１０８】
ページ巡回リストに記述されている全てのＷｅｂページのＵＲＬの読み込みが完了したところで（ステップ５０２のＹＥＳ）、ヘッドライン・ＵＲＬデータベースに保存されているヘッドラインのデータと、ＵＲＬで指定されるリンク先のページのソースを用いて、情報公開サイトのヘッドライン一覧ページ、個々のヘッドラインのリンク先の本文ページを再構築する（ステップ５０７）。この後、ヘッドライン追加判定情報を生成する（ステップ５０８）。
【０１０９】
図２１にヘッドライン・ＵＲＬデータベース２０１の内容の例を示す。同図に示すように、ヘッドライン・ＵＲＬデータベース２０１には、サイトのトップページにおけるリンク元であるヘッドライン２０２および画像オブジェクト２０３と、そのリンク先のＵＲＬ２０４とが記述されている。
【０１１０】
図２２にヘッドライン追加判定情報２１１の例を示す。同図に示すように、ヘッドライン追加判定情報２１１は、サイトのトップページにおけるリンク元であるヘッドライン２１２および画像オブジェクト２１３と、そのリンク先のＵＲＬ２１４と、再構築したリンク先の本文ページの保存場所２１５とで構成されている。
【０１１１】
次回のページ再構築が実行されるときは、ヘッドライン・ＵＲＬデータベース２０１とヘッドライン追加判定情報２１１とを比較することによって、追加ヘッドラインの判定を行う。この判定の結果、追加ヘッドラインであることが判定された場合には、そのヘッドラインのデータに、これが追加ヘッドラインであることを示す情報たとえば”ＮＥＷ！”という文字列を付加し、この追加ヘッドラインの本文ページのＨＴＭＬデータを再構築する。そしてヘッドライン一覧を含むトップページに、追加ヘッドラインのデータと、この追加ヘッドラインに関連する再構築された本文ページへのリンク情報を追加する。これによって、トップページのヘッドライン一覧の内容と、このヘッドラインに関連する本文ページへのリンク情報を周期的に自動更新することができる。
【０１１２】
また、ヘッドラインのリンク先の本文ページを自動更新しないように設定を変更することも可能である。この場合、たとえば図２３に示すように、ヘッドライン追加判定情報２１１において、リンク情報に代えて、前回の更新が行われた日時２１６を記述すればよいようになっている。たとえば日時”０３０２０６１５０００９”とは２００３年２月０６日１５時００分０９秒を意味している。
【０１１３】
以上本発明の実施形態を説明したが、本発明は、上述の実施形態にのみ限定されるものではなく、本発明の要旨を逸脱しない範囲内において種々変更を加え得ることは勿論である。
【０１１４】
【発明の効果】
以上説明したように、本発明によれば、Ｗｅｂ上のコンテンツを再構築してユーザによるＵＲＬなどの入力操作無しに閲覧表示する仕組みにおいて、特にページ再構築の効率を向上させてシステムの負荷を軽減させることが可能になる。
【図面の簡単な説明】
【図１】本発明を適用した実施の一形態であるＷｅｂ対応電子機器装置の構成を示すブロック図である。
【図２】Ｗｅｂページの巡回収集・再構築時および閲覧表示時に、図１のＷｅｂ対応電子機器装置のメインメモリに設けられる領域の構成を示す図である。
【図３】ページ巡回・再構築プログラムのモジュール構成を示す図である。
【図４】図１のＷｅｂ対応電子機器装置におけるページ巡回・再構築プログラムに基づく一連の動作を示すフローチャートである。
【図５】ページ巡回リストの例を示す図である。
【図６】新聞のサイトのＷｅｂページの例を示す図である。
【図７】図６のＷｅｂページの一部とこれに対応するＨＴＭＬソースを示す図である。
【図８】ヘッドラインの文章の形態素解析の例を示す図である。
【図９】キーワード・ヘッドライン・ＵＲＬデータベースの内容の例を示す図である。
【図１０】ページ再構築エンジンによって再構築されたページとそれらのリンクの例を示す図である。
【図１１】ヘッドラインのリンク先のページから主要なテキスト列を判別する方法を説明するための図である。
【図１２】キーワード・ヘッドライン追加判定情報の例を示す図である。
【図１３】ページ再構築エンジンによる２回目以後のページ再構築の手順を示すフローチャートである。
【図１４】ファイル保存場所のウィンドウ画面での表示例を示す図である。
【図１５】図１３のページ再構築による更新前のヘッドライン一覧ページと更新後ヘッドライン一覧ページの例を示す図である。
【図１６】図１５の更新後のヘッドライン一覧ページのソースの例である。
【図１７】再構築ページをＰＤＡに表示させた様子を示す図である。
【図１８】テレビジョンセット、ディスク搭載型ビデオレコーダの表示部に再構築ページであるヘッドライン一覧ページを表示させた様子を示す図である。
【図１９】Ｗｅｂページの巡回収集・再構築をサーバで行う場合のＷｅｂシステムの構成を示すブロック図である。
【図２０】本発明にかかるページ再構築の仕組みを応用したページ自動更新の処理手順を示すフローチャートである。
【図２１】ヘッドライン・ＵＲＬデータベースの例を示す図である。
【図２２】ヘッドライン追加判定情報の例を示す図である。
【図２３】ヘッドライン追加判定情報の変形例を示す図である。
【図２４】ＷｅｂページをＰＤＡのようなＷｅｂ対応電子機器装置の表示画面にそのまま表示させた場合の例を示す図である。
【符号の説明】
１      ＣＰＵ
２      メインメモリ
３      プログラム／データ記憶部
４      ネットワーク
６      表示デバイス
１３      操作入力部
２２      ページ巡回・再構築プログラム格納領域
２３      ページ巡回リスト格納領域
２４      Ｗｅｂブラウザ格納領域
２５      キーワード・ヘッドライン・ＵＲＬデータベース格納領域
２６      単語・品詞データベース格納領域
２７      キーワード・ヘッドライン追加判定情報格納領域
３１      ページ巡回エンジン
３２      ヘッドライン生成エンジン
３３      形態素解析エンジン
３４      キーワード生成エンジン
３５      ページ再構築エンジン
５１      ページ巡回リスト
６０      Ｗｅｂページ（ホームページ）
６１      見出し（ヘッドライン）
７２      ヘッドラインのテキスト列
７３      リンク先ページのＵＲＬ
８３      キーワード・ヘッドライン・ＵＲＬデータベース
９０      キーワード・ヘッドライン追加判定情報
１００      Ｗｅｂ対応電子機器装置
１０１      キーワード一覧ページ
１０２      ヘッドライン一覧ページ
１０３      本文ページ
１０４      ポータルページ
【図１】
2004295294.tif 000003
【図２】
2004295294.tif 000004
【図３】
2004295294.tif 000005
【図４】
2004295294.tif 000006
【図５】
2004295294.tif 000007
【図６】
2004295294.tif 000008
【図７】
2004295294.tif 000009
【図８】
2004295294.tif 000010
【図９】
2004295294.tif 000011
【図１０】
2004295294.tif 000012
【図１１】
2004295294.tif 000013
【図１２】
2004295294.tif 000014
【図１３】
2004295294.tif 000015
【図１４】
2004295294.tif 000016
【図１５】
2004295294.tif 000017
【図１６】
2004295294.tif 000018
【図１７】
2004295294.tif 000019
【図１８】
2004295294.tif 000020
【図１９】
2004295294.tif 000021
【図２０】
2004295294.tif 000022
【図２１】
2004295294.tif 000023
【図２２】
2004295294.tif 000024
【図２３】
2004295294.tif 000025
【図２４】
2004295294.tif 000026